(57)【要約】【課題】  発生したエラーがユーザが入力したジョブにかかるものであるか否かを的確に知ることができると共に、他人が入力したジョブが実行されているときには、エラー画面ではなく待機要求画面をユーザに対して表示することで、ユーザによる給紙トレイの挿抜等のエラー解除にかかる操作の実行を抑制し、他人が入力したジョブに対する妨害を防止することが可能な画像形成装置の提供。【解決手段】  入力されたジョブを順次印刷処理する処理部と、ジョブにかかる処理で発生したエラーを検出する検出部と、特定のユーザにより入力されたジョブにかかる処理において検出部がエラーを検出した場合、エラーにかかるジョブを待避させると共に、次のジョブを処理部へ入力する待避部と、エラーの特定のユーザへの表示を制御する表示制御部と、を備え、表示制御部は次のジョブにかかる処理が終了するまで特定のユーザへの表示方法を変更することを特徴とする画像形成装置。【選択図】  図１
2010167668.tif 000002
【特許請求の範囲】
【請求項１】
入力されたジョブを順次印刷処理する処理部と、
前記ジョブにかかる処理で発生したエラーを検出する検出部と、
特定のユーザにより入力された前記ジョブにかかる処理において前記検出部が前記エラーを検出した場合、前記エラーにかかる前記ジョブを待避させると共に、次のジョブを前記処理部へ入力する待避部と、
前記エラーの前記特定のユーザへの表示を制御する表示制御部と、
を備え、
前記表示制御部は次のジョブにかかる処理が終了するまで前記特定のユーザへの表示方法を変更することを特徴とする画像形成装置。
【請求項２】
前記特定のユーザへの表示方法は次のジョブにかかる処理が終了するまで、前記エラーの内容に関する情報の一部または全部が隠された表示方法であることを特徴とする請求項１記載の画像形成装置。
【請求項３】
ユーザによる操作を受付ける操作部を有し、
前記エラーにかかる前記ジョブが待避された状態で、前記操作部を介して前記ユーザにより所定の操作を受付けると、前記処理部は次のジョブの開始を一定時間遅延させることを特徴とする請求項１又は２記載の画像形成装置。
【請求項４】
前記表示制御部は前記エラーの種類により前記特定のユーザへの表示方法を変更することを特徴とする請求項１乃至３の何れかに記載の画像形成装置。
【発明の詳細な説明】
【技術分野】
【０００１】
本発明は複数のジョブを処理可能な画像形成装置に関するものである。
【背景技術】
【０００２】
従来、プリントジョブや通信系ジョブ及びスキャナジョブを複数並列して動作可能で、複数のシステムファンクション（プリンタ／ファクシミリ／スキャナ）を切り替え可能な画像形成装置において、ユーザが優先して使用したいシステムファンクションとは無関係のシステムファンクションのエラー表示により表示画面が覆われ、優先的に使用したいシステムファンクションに関する操作を潤滑に行うことができないといった問題があった。
【０００３】
このような問題に対して、例えば、特許文献１には、発生したエラーをシステムファンクション毎に分類し、ユーザが頻繁、且つ優先的に使用するシステムファンクションに対するエラーを優先的に表示する装置についての発明が開示されている。
【先行技術文献】
【特許文献】
【０００４】
【特許文献１】特開２００２−２３２６２６号公報
【発明の概要】
【発明が解決しようとする課題】
【０００５】
しかしながら、特許文献１記載の装置では、表示されたエラーがユーザ自身が入力したジョブにかかるものか、他人が入力したジョブにかかるものであるかが判別しづらいといった問題があった。
【０００６】
本発明はこのような実情に鑑みてなされたものであり、本発明の課題は、発生したエラーがユーザが入力したジョブにかかるものであるか否かを的確に知ることができると共に、他人が入力したジョブが実行されているときには、エラー画面ではなく待機要求画面をユーザに対して表示することで、ユーザによる給紙トレイの挿抜等のエラー解除にかかる操作の実行を抑制し、他人が入力したジョブに対する妨害を防止することが可能な画像形成装置を提供することである。
【課題を解決するための手段】
【０００７】
上記課題を解決するために、本発明にかかる画像形成装置は、入力されたジョブを順次印刷処理する処理部と、ジョブにかかる処理で発生したエラーを検出する検出部と、特定のユーザにより入力されたジョブにかかる処理において検出部がエラーを検出した場合、エラーにかかるジョブを待避させると共に、次のジョブを処理部へ入力する待避部と、エラーの特定のユーザへの表示を制御する表示制御部と、を備え、表示制御部は次のジョブにかかる処理が終了するまで特定のユーザへの表示方法を変更することを特徴とする。
【発明の効果】
【０００８】
本発明によれば、発生したエラーがユーザが入力したジョブにかかるものであるか否かを的確に知ることができると共に、他人が入力したジョブが実行されているときには、エラー画面ではなく待機要求画面をユーザに対して表示することで、ユーザによる給紙トレイの挿抜等のエラー解除にかかる操作の実行を抑制し、他人が入力したジョブに対する妨害を防止することが可能な画像形成装置を提供することができる。
【図面の簡単な説明】
【０００９】
【図１】画像形成装置の機能構成を説明する機能ブロック図である。
【図２】表示画面の構成例の一例を説明する図である。
【図３】表示画面の構成例の一例を説明する図である。
【図４】表示画面の構成例の一例を説明する図である。
【図５】表示画面の構成例の一例を説明する図である。
【図６】給紙部の概略構成を説明する側面断面図である。
【図７】給紙部の概略構成を説明する側面断面図である。
【図８】ジョブキューの構成例の一例を説明する図である。
【図９】印刷ジョブデータを受信したときに画像形成装置が実行する処理動作を説明するフローチャートである。
【図１０】発生したエラーが解除された際に画像形成装置が実行する処理動作を説明するフローチャートである。
【図１１】ユーザによる画像形成装置へのログイン処理にかかる処理動作を説明するフローチャートである。
【図１２】、印刷ジョブの処理終了時にジョブ管理部が実行する処理動作を説明するフローチャートである。
【図１３】画像形成装置の機能構成を説明する機能ブロック図である。
【図１４】表示画面の構成例の一例を説明する図である。
【図１５】エラー表示可否判定表の構成例の一例を説明する図である。
【図１６】ジョブキューの構成例の一例を説明する図である。
【図１７】ユーザによる画像形成装置５００へのログイン処理にかかる処理動作を説明するフローチャートである。
【図１８】ＦＡＸ送信ジョブデータを受信したときに画像形成装置が実行する処理動作を説明するフローチャートである。
【図１９】発生したエラーが解除された際に画像形成装置が実行する処理動作を説明するフローチャートである。
【発明を実施するための形態】
【００１０】
以下、本発明の実施形態について図面を参照して説明する。なお、本発明は以下の記述に限定されるものではなく、本発明の要旨を逸脱しない範囲において適宜変更可能である。
【００１１】
［第１の実施形態］
図１は、第１の実施形態にかかる画像形成装置１００の機能構成を説明する機能ブロック図である。画像形成装置１００は、例えば、電子写真方式の印刷エンジンを備え、入力された印刷ジョブデータに基づく画像を用紙上に印刷することができるプリンタであり、例えば、ＬＡＮ（Local Area Network）等の通信ケーブルによって、プリンタドライバを用いて印刷ジョブデータを生成するＰＣ（Personal Computer）２００、ＰＣ２０１、ＰＣ２０２に接続されている。
【００１２】
そして、画像形成装置１００は、操作部１０１と、表示部１０２と、表示制御部１０３と、印刷部１０４と、給紙部１０５と、接続部１０６と、ジョブ情報解析部１０７と、ジョブ管理部１０８と、画像変換部１０９と、記憶部１１０と、制御部１１１と、を備え、これらの各部材はシステムバス１１２を介して接続されている。
【００１３】
操作部１０１は、例えば、数字の入力を受付けるテンキー、アルファベット等の入力を受付ける入力ボタンキー、又は操作の確定を受付ける確定ボタンキー等の各ボタンキーを備え、ユーザによるユーザＩＤの入力や各種設定入力を受付ける。
【００１４】
表示部１０２は、例えば、ＬＣＤ（Liquid Crystal Display）等の表示装置を備え、後述する表示制御部１０３の制御に基づき、図２〜図５に例示するような各表示画面を表示する。ここで、図２〜図５に例示する各表示画面について説明する。図２は、ユーザＩＤ入力画面３０１の一形態を説明する図である。ユーザＩＤ入力画面３０１は、ユーザによるユーザＩＤの入力を受付ける画面であり、画像形成装置１００の起動時、またはログイン待ち状態の初期画面である。そして、ユーザＩＤ入力画面３０１が表示された状態で操作部１０１を介してユーザＩＤが入力されると、画像形成装置１００はログイン処理を実行する。図３は、通常画面３０２の一形態を説明する図である。通常画面３０２は、ジョブ処理にかかるエラーが発生していないときに、ユーザがログインすると画像形成装置１００が表示する画面であると共に、画像形成装置１００の装置状態を表示する表示画面である。図４は、待機要求画面３０３の一形態を説明する図である。待機要求画面３０３は、ユーザに対して処理中の印刷ジョブが終了するまで待機するよう要求する画面である。なお、待機要求画面３０３は、画像形成装置１００が他人により入力された印刷ジョブを処理中であり、且つ、ログインしたユーザにより入力された印刷ジョブがエラーの発生により待避させられているときに表示される。図５は、エラー通知画面３０４の一形態を説明する図である。エラー通知画面３０４は、ユーザに対してエラーを通知する画面である。エラー通知画面３０４は、画像形成装置１００が他人により入力された別の印刷ジョブの処理中ではなく（印刷ジョブがない状態）、且つ、ログインしたユーザにより入力された印刷ジョブがエラーの発生により待避させられているときに表示される。なお、エラー通知画面３０４に表示される表示内容は、特には限定はされないが、例えば、図５に示すように、発生したエラー内容と、その解除方法を表示する形態としてもよい。
【００１５】
表示制御部１０３は、上記のユーザＩＤ入力画面３０１、通常画面３０２、待機要求画面３０３、又はエラー通知画面３０４等の表示部１０２が表示する表示内容を決定すると共に、当該画面の表示内容を記憶するメッセージ格納部１２０を備える。
【００１６】
印刷部１０４は、例えば、電子写真方式の印刷エンジンを備え、用紙サイズデータや印刷ジョブデータに基づくビットマップ形式の画像データが入力されると、給紙部１０５から給紙された用紙上に画像を印刷する。
【００１７】
給紙部１０５は、用紙を積載する給紙トレイ、給紙トレイから用紙を一枚ずつ取り出すと共に、印刷部１０４に用紙を搬送する用紙搬送機構を備える。
【００１８】
ここで、給紙部１０５について図６、図７を用いて説明する。図６は給紙部１０５の概略構成を説明する側面断面図であり、図７は給紙部１０５から給紙トレイ４０１が抜かれた状態を説明する側面断面図である。
【００１９】
図６に示すように、給紙部１０５には、給紙トレイ４０１、及び給紙トレイ４０２が装着され、例えば、給紙トレイ４０２に積載された用紙４５１は、給紙ローラ４０３により溝４２２、溝４２１を通過して印刷部１０４に給紙される。そして、給紙トレイ４０１、及び給紙トレイ４０２に積載可能な用紙のサイズは、給紙トレイ４０１、及び給紙トレイ４０２に設けられた図示せぬダイヤルにより設定可能であり、例えば、給紙トレイ４０１にはＡ３サイズの用紙、給紙トレイ４０２にはＡ４サイズの用紙といった異なるサイズの用紙を積載することが可能である。さらに、給紙部１０５は給紙トレイ４０１、又は給紙トレイ４０２の挿抜と、給紙トレイ上の用紙の有無を検出する図示せぬセンサを備える。
【００２０】
ここで、用紙４５２を給紙トレイ４０１にを補充する場合には、図７に示すように、給紙トレイ４０１を給紙部１０５から引き抜いた状態で用紙４５２を積載し、再び給紙トレイ４０１を給紙部１０５に装着することで用紙４５２を補充することができる。
【００２１】
なお、図７に示すような状態、つまり、給紙部１０５から給紙トレイ４０１が引き抜かれた状態において、給紙トレイ４０１上の用紙４５１が印刷部１０４に向けて給紙されると、用紙４５１が通過する溝４２１の位置がずれているために、用紙４５１が用紙搬送途中で詰まることになる。また、印刷部１０４が用紙上に画像を形成している最中に、給紙トレイ４０１、又は給紙トレイ４０２を挿抜すると、印刷部１０４に振動が伝わり、印刷部１０４が用紙上に形成する画像が乱れることがある。
【００２２】
接続部１０６は、例えば、ネットワークカード等を備え、ＬＡＮ等の通信ケーブルを介してＰＣ２００、ＰＣ２０１、ＰＣ２０２から印刷ジョブデータを受信する。
【００２３】
ジョブ情報解析部１０７は、接続部１０６を介して受信した印刷ジョブデータの先頭部を解析し、印刷ジョブデータを入力したユーザのユーザＩＤを読取る。
【００２４】
ジョブ管理部１０８は、生成した印刷ジョブを管理するジョブキュー１２１、及びエラー検出部１２２を備え、複数の印刷ジョブの実行順や印刷ジョブの開始タイミングを制御する。
【００２５】
ここで、図８に示すジョブキュー１２１について説明する。ジョブキュー１２１は、画像形成装置１００に入力された順に印刷ジョブを登録する。具体的には、ジョブキー１２１は、新しく入力された印刷ジョブは末尾に登録し、先頭にある印刷ジョブから順に印刷処理する。ここで、ジョブキー１２１により登録される印刷ジョブの情報としては、ジョブ番号、状態、ユーザＩＤ、用紙サイズ、文書名、及びエラー種別である。ジョブ番号は、プリンタにより受信するジョブ毎に順に割付られる番号である。状態は、画像形成装置１００が何の印刷ジョブ処理を実行しておらず、印刷ジョブ処理開始指示を待っている状態を表す「待機中」、画像形成装置１００がまさに印刷ジョブ処理を実行している最中である状態を表す「処理中」、画像形成装置１００が印刷ジョブ処理中に処理を継続することができない状態となり、印刷ジョブを待避させた状態を表す「エラー」の３種類の値をとる。ユーザＩＤは、ジョブ内に格納され、印刷ジョブデータを入力したユーザを識別するための識別番号である。用紙サイズは、ジョブ内で指定され、ジョブ処理にかかる画像の用紙上の大きさである。文書名は、ジョブ内に格納された文書名である。エラー種別は、例えば、Ａ３用紙切れ等のエラーの種別情報である。
【００２６】
このような構成を有するジョブキー１２１を使用し、ジョブ管理部１０８は印刷ジョブの処理順番を決定する。そして、ジョブ管理部１０８は、画像形成装置１００が処理中の印刷ジョブが無い場合は、ジョブキー１２１の先頭から待機中の印刷ジョブを探索し、最初に見つかった印刷ジョブの処理を開始する。また、ジョブ管理部１０８は、エラーの発生によって印刷ジョブの処理が継続可能であるか否かを判定すると共に、各印刷ジョブの実行や待避を行うためにそれに関与する各部材の制御を行う。
【００２７】
エラー検出部１２２は、画像形成装置１００を監視し、当該画像形成装置１００が印刷ジョブの処理を継続できない状態となったことをエラーとして検出すると共に、当該エラーが解除されたことも検出する。エラー検出部１２２がエラーの発生を検出すると、ジョブ管理部１０８は、処理中の印刷ジョブの中間データを記憶部１１０へ待避させ、印刷ジョブの処理を中断し、印刷ジョブの状態を「エラー」へ変更する。また、エラー検出部１２２がエラーの解除を検出すると、ジョブ管理部１０８は、解除されたエラーに起因して変更された印刷ジョブの状態を「エラー」から「待機中」に変更する。
【００２８】
画像変換部１０９は、印刷ジョブデータに含まれる、ページ記述言語を解析し、用紙サイズを決定すると共に、画像形成にかかる部分を印刷部１０４が解釈可能なビットマップ形式の画像データに変換する。
【００２９】
記憶部１１０は、例えば、ＨＤＤ（Hard Disk Drive）等の不揮発性の記録装置を用いることができ、記憶部１１０上の待避エリア１２３に画像変換部１０９が変換途中でジョブ管理部１０８により処理が中断された印刷ジョブデータの中間データであるビットマップ形式の画像データを記憶する。
【００３０】
制御部１１１は、図示せぬＣＰＵ（Central Processing Unit）を備え、画像形成装置１００を構成する各部材を統括的に制御する。
【００３１】
システムバス１１２は、画像形成装置１００を構成する各部材間を接続し、各データや処理の実行命令を伝達する。
【００３２】
このような構成を備えた画像形成装置１００の処理動作について以下のフローチャートを用いて説明する。図９は、印刷ジョブデータを受信したときに画像形成装置１００が実行する処理動作を説明するフローチャートである。
【００３３】
まず、ステップＳ１０１において、画像形成装置１００は接続部１０６を介してＰＣ２００、ＰＣ２０１、又はＰＣ２０２から印刷ジョブデータを受信する。
【００３４】
接続部１０６を介して印刷ジョブデータを受信すると、ジョブ管理部１０８は印刷ジョブを生成し、生成した印刷ジョブをジョブキー１２１の末尾に登録する（ステップＳ１０２）。
【００３５】
次に、ジョブ情報解析部１０７は印刷ジョブデータの先頭部分を解析することでユーザＩＤを読出し、ジョブキー１２１の情報を更新する（ステップＳ１０３）。
【００３６】
そして、ジョブ管理部１０８は処理中の印刷ジョブが存在しない場合には、ジョブキュー１２１の先頭から待機中の印刷ジョブを探索し、最初に見つかった印刷ジョブがステップＳ１０３で登録された印刷ジョブであれば、ジョブ管理部１０８は当該印刷ジョブの状態を「処理中」に変更し、以降の処理を継続する（ステップＳ１０４）。
【００３７】
ステップＳ１０５において、画像変換部１０９は、印刷ジョブデータに含まれる、ページ記述言語を解析し、用紙のサイズを、例えば、Ａ３と決定すると共に、画像形成にかかる部分を印刷部１０４が解釈可能なビットマップ形式の画像データに変換する。そして、ジョブ管理部１０８は、ジョブキー１２１の用紙サイズをＡ３へ更新する。
【００３８】
ここで、例えば、給紙部１０５が備える図示せぬセンサが給紙トレイ４０１のＡ３用紙の用紙切れを検出すると、給紙部１０５は当該検出信号をエラー検出部１２２へ通知する（ステップＳ１０６  Ｙｅｓ）。そして、エラー検出部１２２はエラー「用紙無しＡ３」が発生した旨をジョブ管理部１０８へ通知する。エラー「用紙無しＡ３」の通知を受けたジョブ管理部１０８は、処理中の印刷ジョブを待避させる。つまり、ジョブ管理部１０８は、画像変換部１０９が変換し、未印刷のビットマップ形式の画像データを記憶部１１０の待避エリア１２３に記憶させる。そして、ジョブ管理部１０８はジョブキュー１２１の状態を「エラー」に変更する。
【００３９】
一方、エラー「用紙無しＡ３」等が発生しなかった場合（ステップＳ１０６  Ｎｏ），印刷部１０４は給紙部１０５から給紙された用紙に対して入力された画像データに基づく画像を印刷する（ステップＳ１０８）。
【００４０】
そして、ジョブ管理部１０８は、印刷部１０４により印刷ジョブデータに含まれる全ての画像データの印刷が終了するまでステップＳ１０６からの処理を繰り返す（ステップＳ１０９）。
【００４１】
印刷部１０４による印刷ジョブデータに含まれる全ての画像データの印刷が終了すると（ステップＳ１０９  Ｙｅｓ）、ジョブ管理部１０８は、完了した印刷ジョブをジョブキュー１２１から削除し、処理を終了する（ステップＳ１１０）。
【００４２】
次に、図９のステップＳ１０６において発生したエラーが解除された際に画像形成装置１００が実行する処理動作について図１０のフローチャートを用いて説明する。なお、ここで発生したエラーはＡ３用紙切れとし、発生したエラーの解除方法としてはＡ３用紙の補充として説明する。
【００４３】
まず、ステップＳ２０１において、給紙部１０５が備える図示せぬセンサが給紙トレイ４０１にＡ３用紙が補充されたことを検出すると、給紙部１０５は当該検出信号をエラー検出部１２２へ通知する。そして、エラー検出部１２２は、給紙トレイ４０１にＡ３用紙が補充され、エラー「用紙無しＡ３」が解除された旨をジョブ管理部１０８に通知する。
【００４４】
エラー検出部１２２からエラー「用紙無しＡ３」が解除された旨の通知を受けると、ジョブ管理部１０８は、印刷ジョブの処理が当該エラー解除により再開可能であるか否かを判定する。ここで、印刷ジョブの処理が再開不可能であると判定した場合、つまり、ジョブキュー１２１のエラー種別が「用紙切れＡ３」以外、あるいは複数のエラー種別が登録されている場合（ステップＳ２０２  Ｎｏ）、ジョブ管理部１０８は印刷ジョブの処理を実行しない。一方、ジョブキュー１２１のエラー種別が「用紙切れＡ３」のみである印刷ジョブにおいては、ジョブ管理部１０８は、印刷ジョブの処理が再開可能であると判定する（ステップＳ２０２  Ｙｅｓ）。
【００４５】
次に、ジョブ管理部１０８は、処理中の印刷ジョブが存在しない場合は、ジョブキュー１２１の先頭から待機中の印刷ジョブを探索し、最初に見つかった印刷ジョブの状態を「処理中」に変更すると共に、以下の処理を継続して実行する（ステップＳ２０３）。
【００４６】
次に、ジョブ管理部１０８は、記憶部１１０の待避エリア１２３に記憶させた未印刷のビットマップ形式の画像データを読み出す（ステップＳ２０４）。
【００４７】
ここで、例えば、給紙部１０５が備える図示せぬセンサが給紙トレイ４０１のＡ３用紙の用紙切れを検出すると、給紙部１０５は当該検出信号をエラー検出部１２２へ通知する（ステップＳ２０５  Ｙｅｓ）。そして、エラー検出部１２２はエラー「用紙無しＡ３」が発生した旨をジョブ管理部１０８へ通知する。エラー「用紙無しＡ３」の通知を受けたジョブ管理部１０８は処理中の印刷ジョブを待避させる。つまり、ジョブ管理部１０８は、画像変換部１０９が変換し、未印刷のビットマップ形式の画像データを記憶部１１０の待避エリア１２３に記憶させる。そして、ジョブ管理部１０８はジョブキュー１２１の状態を「エラー」に変更する。
【００４８】
一方、エラー「用紙無しＡ３」等が発生しなかった場合（ステップＳ２０５  Ｎｏ），印刷部１０４は給紙部１０５から給紙された用紙に対して入力された画像データに基づく画像を印刷する（ステップＳ２０７）。
【００４９】
そして、ジョブ管理部１０８は、印刷部１０４により印刷ジョブデータに含まれる全ての画像データの印刷が終了するまでステップＳ２０５からの処理を繰り返す（ステップＳ２０８）。
【００５０】
印刷部１０４による印刷ジョブデータに含まれる全ての画像データの印刷が終了すると（ステップＳ２０８  Ｙｅｓ）、ジョブ管理部１０８は、完了した印刷ジョブをジョブキュー１２１から削除すると共に、記憶部１１０の待避エリア１２３に記憶させた未印刷のビットマップ形式の画像データを削除し、処理を終了する（ステップＳ２０９）。
【００５１】
次に、ユーザによる画像形成装置１００へのログイン処理にかかる処理動作について図１１を用いて説明する。
【００５２】
まず、表示部１０２にユーザＩＤ入力画面３０１が表示された状態で、ユーザは操作部１０１を介してユーザＩＤを入力する（ステップＳ３０１）。
【００５３】
次に、表示制御部１０３はジョブ管理部１０８に問い合わせ、ユーザにより入力されたユーザＩＤと同じユーザＩＤとが設定された印刷ジョブにおいてジョブキュー１２１に登録されたエラーのリストを取得する。ここで、取得したリストにエラーが無い場合（ステップＳ３０２  Ｎｏ）、表示制御部１０３による処理はステップＳ３０３に移行し、表示制御部１０３は表示部１０２に通常表示画面３０２を表示させる（ステップＳ３０３）。一方、取得したリストにエラーがあった場合（ステップＳ３０２  Ｙｅｓ）、表示制御部１０３はジョブ管理部１０８に対して印刷ジョブの処理を実行中か否かを問合せる。
【００５４】
ここで、印刷ジョブの処理が実行されている場合（ステップＳ３０４  Ｙｅｓ）、表示制御部１０３は表示部１０２に待機要求画面３０３を表示させる（ステップＳ３０５）。そして、表示制御部１０３は印刷ジョブの処理が終了するまで表示部１０２に待機要求画面３０３を表示させ、印刷ジョブの処理が終了した時点で（ステップＳ３０６  Ｙｅｓ）、エラー通知画面３０７を表示させる（ステップＳ３０７）。一方、印刷ジョブの処理が実行されていない場合（ステップＳ３０４  Ｎｏ）、表示制御部１０３は表示部１０２にエラー通知画面３０７を表示させる（ステップＳ３０７）。
【００５５】
ステップＳ３０７において、表示部１０２によりエラー通知画面３０４が表示された後、所定の操作タイムアウト時間（例えば、１分）が経過すると（ステップＳ３０８  Ｙｅｓ）、表示制御部１０３は、表示部１０２にユーザＩＤ入力画面３０１を表示させる（ステップＳ３０９）。
【００５６】
次に、印刷ジョブの処理終了時にジョブ管理部１０８が実行する処理動作について図１２のフローチャートを用いて説明する。
【００５７】
まず、印刷ジョブが終了した時点で、ジョブ管理部１０８は、表示制御部１０３に対して待機要求画面３０３を表示部１０２に表示させているか否かを問合せる。ここで、表示制御部１０３が待機要求画面３０３を表示部１０２に表示させている場合（ステップＳ４０２  Ｙｅｓ）、ジョブ管理部１０８は、表示制御部１０３に対してエラー通知画面３０４を表示するよう指示を与える。指示を受けた表示制御部１０３は、表示部１０２にエラー通知画面３０４を表示する（ステップＳ４０３）。一方、表示制御部３０３が待機要求画面３０３を表示部１０２に表示させていない場合（ステップ４０２  Ｎｏ）、ジョブ管理部１０８はジョブキュー１２１に登録されている次に実行可能な印刷ジョブを探索し、当該印刷ジョブが存在している場合には印刷ジョブの処理を実行する（ステップＳ４０６）。
【００５８】
ステップＳ４０４において、エラー検出部１２２からエラーが解除された旨の通知を受けると（ステップＳ４０４  Ｙｅｓ）、ジョブ管理部１０８はジョブキュー１２１に登録されている次に実行可能な印刷ジョブを探索し、当該印刷ジョブが存在している場合には印刷ジョブの処理を実行する（ステップＳ４０６）。一方、エラー検出部１２２からエラーが解除された旨の通知を受けておらず（ステップＳ４０４  Ｎｏ）、且つ、表示制御部１０３がエラー通知画面３０４を表示部１０２に表示させている場合（ステップＳ４０５  Ｙｅｓ）、ジョブ管理部１０８は印刷ジョブの処理を実行しない。
【００５９】
以上のように、第１の実施形態によれば、表示部が表示するエラー通知画面をユーザが入力した印刷ジョブに発生したエラーに限定することで、ユーザに関係の無いエラーが発生したとしてもユーザに対して表示されないことになる。したがって、発生したエラーがユーザが入力したジョブにかかるものであるか否かを的確に知ることができると共に、他人が入力したジョブが実行されているときには、エラー画面ではなく待機要求画面をユーザに対して表示することで、ユーザによる給紙トレイの挿抜等のエラー解除にかかる操作の実行を抑制し、他人が入力したジョブに対する妨害を防止することができる。
【００６０】
［第２の実施形態］
第２の実施形態にかかる画像形成装置５００の機能構成は第１の実施形態にかかる画像形成装置１００と略同一である。したがって、第２の実施形態の説明においては、第１の実施形態と同一な箇所には同一の符号を付して説明は省略し、異なる箇所について説明する。
【００６１】
図１３は、第２の実施形態にかかる画像形成装置５００の機能構成を説明する機能ブロック図である。画像形成装置５００は、第１の実施形態にかかる画像形成装置１００の表示制御部１０３に代えて表示制御部５０１、ジョブ情報解析部１０７に代えてジョブ情報解析部５０２、ジョブ管理部１０８に代えてジョブ管理部５０３、及び電話回線６５０を介して電話回線網６５１に接続されたＦＡＸ送信部５０４を備える。そして画像形成装置５００は、例えば、ＬＡＮ等の通信ケーブルによって、プリンタドライバを用いて印刷ジョブデータを生成するか、又はＦＡＸ送信用のプリンタドライバを用いてＦＡＸジョブデータを生成するＰＣ６００、ＰＣ６０１、ＰＣ６０２に接続されている。
【００６２】
表示制御部５０１は、ユーザＩＤ入力画面３０１、通常画面３０２、待機要求画面３０３、又はエラー通知画面３０４等の表示部１０２が表示する表示内容を決定すると共に、当該画面の表示内容、及び、例えば、図１４に示すような、ＦＡＸジョブの処理実行中に表示されるエラー通知画面７０１の表示内容を記憶するメッセージ格納部５２０を備える。さらに、表示制御部５０１は、例えば、図１５に示すような、エラー種別毎に、別のジョブの処理時にエラー通知画面３０４を表示して良いか否かを記憶したエラー表示可否判定表５２１を備える。
【００６３】
ジョブ情報解析部５０２は、接続部１０６を介して受信したジョブデータの先頭部を解析し、ジョブを入力したユーザのユーザＩＤを読取る。また、ジョブ情報解析部５０２は、ＦＡＸ送信ジョブデータの先頭部を解析し、ＦＡＸ送信ジョブデータを入力したユーザのユーザＩＤと、ＦＡＸの送信先番号を読取る。さらに、ジョブ情報解析部５０２は、解析したジョブデータが印刷ジョブデータであるか、ＦＡＸ送信ジョブデータであるかを判別する。
【００６４】
ジョブ管理部５０３は、生成した印刷ジョブ、又はＦＡＸ送信ジョブを管理するジョブキュー５２２、及びエラー検出部１２２を備え、複数のジョブの実行順やジョブの開始タイミングを制御する。
【００６５】
ここで、図１６に示すジョブキュー５２２について説明する。ジョブキュー５２２は、第１の実施形態で説明したジョブキュー１２２の機能に加え、生成したジョブが印刷ジョブであるか、又はＦＡＸ送信ジョブであるかを区別するジョブ種別と、ＦＡＸ送信ジョブの宛先番号であるＦＡＸそ送信宛先番号と、を登録する。
【００６６】
ＦＡＸ送信部５０４は、ＦＡＸ送信ジョブデータに含まれる、ＦＡＸ送信データを電話回線６５０を介して電話回線網６５１上の指定されたＦＡＸそ送信宛先番号へ送信する。
【００６７】
このような構成を備えた画像形成装置５００の処理動作について以下のフローチャートを用いて説明する。図１７は、ユーザによる画像形成装置５００へのログイン処理にかかる処理動作を説明するフローチャートである。なお、図１７中、ステップＳ３０１からステップＳ３０９の処理は、図１１で説明した、ユーザによる画像形成装置１００へのログイン処理にかかる処理動作と同様に実行することができるため、ここでの説明は省略する。
【００６８】
ステップＳ５０１において、表示制御部５０１は、エラー表示可否判定表５２１を参照し、ステップＳ３０２で取得したエラーのリストから、別のジョブの処理時に表示可否が否であるエラー種別を取り除く。
【００６９】
ここで、エラーのリストにエラーが残っている場合（ステップＳ５０１  Ｙｅｓ）、表示制御部５０１による処理はステップＳ３０７に移行し、表示部１０２にエラー通知画面７０１を表示させる。一方、エラーのリストにエラーが残っていない場合（ステップＳ５０１  Ｎｏ）、表示制御部５０１による処理はステップＳ３０５に移行し、表示部１０２に待機要求画面３０３を表示させる。
【００７０】
次に、ＦＡＸ送信ジョブデータを受信したときに画像形成装置５００が実行する処理動作について図１８を用いてを説明する。
【００７１】
まず、ステップＳ６０１において、画像形成装置５００は接続部１０６を介してＰＣ６００、ＰＣ６０１、又はＰＣ６０２からＦＡＸ送信ジョブデータを受信する。
【００７２】
接続部１０６を介してＦＡＸ送信ジョブデータを受信すると、ジョブ管理部５０３はＦＡＸ送信ジョブを生成し、生成したＦＡＸ送信ジョブをジョブキー５２２の末尾に登録する（ステップＳ６０２）。
【００７３】
次に、ジョブ情報解析部５０２はＦＡＸ送信ジョブデータの先頭部分を解析することで、生成したジョブがＦＡＸ送信ジョブであると判定し、ユーザＩＤとＦＡＸ送信宛先番号を読み出し後、ジョブキー５２２の情報を更新する（ステップＳ６０３）。
【００７４】
そして、ジョブ管理部５０３は処理中のジョブが存在しない場合には、ジョブキュー５２２の先頭から待機中のジョブを探索し、最初に見つかったジョブがステップＳ６０３で登録されたＦＡＸ送信ジョブであれば、ジョブ管理部５０３は当該ジョブの状態を「処理中」に変更し、以降の処理を継続する（ステップＳ６０４）。
【００７５】
ここで、例えば、ＦＡＸ送信部５０４が画像形成装置５００に電話回線６５０が接続されていないことを検出すると、ＦＡＸ送信部５０４は当該検出信号をエラー検出部１２２へ通知する（ステップＳ６０５  Ｙｅｓ）。そして、エラー検出部１２２はエラー「電話回線未接続」が発生した旨をジョブ管理部５０３へ通知する。エラー「電話回線未接続」の通知を受けたジョブ管理部５０３は処理中のジョブを待避させる。つまり、ジョブ管理部５０３は、受信したＦＡＸ送信ジョブデータに含まれるＦＡＸ送信データを記憶部１１０の待避エリア１２３に記憶させる。そして、ジョブ管理部５０３はジョブキュー５２２の状態を「エラー」に変更する。
【００７６】
一方、エラー「電話回線未接続」等が発生しなかった場合（ステップＳ６０５  Ｎｏ），ＦＡＸ送信部５０４はＦＡＸ送信データを指定されたＦＡＸ送信宛先番号に対して送信する（ステップＳ６０７）。
【００７７】
そして、ジョブ管理部５０３は、ＦＡＸ送信部５０４によりＦＡＸ送信ジョブデータに含まれる全てのＦＡＸ送信データの送信が終了するまでステップＳ６０５からの処理を繰り返す（ステップＳ６０８）。
【００７８】
ＦＡＸ送信部５０４によるＦＡＸ送信ジョブデータに含まれる全てのＦＡＸ送信データの送信が終了すると（ステップＳ６０８  Ｙｅｓ）、ジョブ管理部５０３は、完了したＦＡＸ送信ジョブをジョブキュー５２２から削除し、処理を終了する（ステップＳ６０９）。
【００７９】
次に、図１８のステップＳ６０５において発生したエラーが解除された際に画像形成装置５００が実行する処理動作について図１９のフローチャートを用いて説明する。なお、ここで発生したエラーは電話回線未接続、発生したエラーの解除方法としては電話回線接続として説明する。
【００８０】
まず、ステップＳ７０１において、ＦＡＸ送信部５０４が電話回線６５０が接続されたことを検出すると、ＦＡＸ送信部５０４は当該検出信号をエラー検出部１２２へ通知する。そして、エラー検出部１２２は、電話回線６５０が接続され、エラー「電話回線未接続」が解除された旨をジョブ管理部５０３に通知する。
【００８１】
エラー検出部１２２からエラー「電話回線未接続」が解除された旨の通知を受けると、ジョブ管理部５０３は、ジョブの処理が当該エラー解除により再開可能であるか否かを判定する。ここで、ジョブの処理が再開不可能であると判定した場合、つまり、ジョブキュー５２２のエラー種別が「電話回線未接続」以外、あるいは複数のエラー種別が登録されている場合（ステップＳ７０２  Ｎｏ）、ジョブ管理部５０３はジョブの処理を実行しない。一方、ジョブキュー５２２のエラー種別が「電話回線未接続」のみであるジョブにおいては、ジョブ管理部５０３は、ジョブの処理が再開可能であると判定する（ステップＳ７０２  Ｙｅｓ）。
【００８２】
次に、ジョブ管理部５０３は、処理中のジョブが存在しない場合は、ジョブキュー５２２の先頭から待機中のジョブを探索し、最初に見つかったジョブの状態を「処理中」に変更すると共に、以下の処理を継続して実行する（ステップＳ７０３）。
【００８３】
次に、ジョブ管理部５０３は、記憶部１１０の待避エリア１２３に記憶させたＦＡＸ送信データを読み出す（ステップＳ７０４）。
【００８４】
ここで、例えば、ＦＡＸ送信部５０４が電話回線未接続を検出すると、ＦＡＸ送信部５０４は当該検出信号をエラー検出部１２２へ通知する（ステップＳ７０５  Ｙｅｓ）。そして、エラー検出部１２２はエラー「電話回線未接続」が発生した旨をジョブ管理部５０３へ通知する。エラー「電話回線未接続」の通知を受けたジョブ管理部５０３は処理中のＦＡＸ送信ジョブを待避させる。つまり、ジョブ管理部５０３は、受信したＦＡＸ送信ジョブデータに含まれるＦＡＸ送信データを記憶部１１０の待避エリア１２３に記憶させる。そして、ジョブ管理部５０３はジョブキュー５２２の状態を「エラー」に変更する。
【００８５】
一方、エラー「電話回線未接続」等が発生しなかった場合（ステップＳ７０５  Ｎｏ），ＦＡＸ送信部５０４はＦＡＸ送信データを指定されたＦＡＸ送信宛先番号に対して送信する（ステップＳ７０７）。
【００８６】
そして、ジョブ管理部５０３は、ＦＡＸ送信部５０４によりＦＡＸ送信ジョブデータに含まれる全てのＦＡＸ送信データの送信が終了するまでステップＳ７０５からの処理を繰り返す（ステップＳ７０８）。
【００８７】
ＦＡＸ送信部５０４によるＦＡＸ送信ジョブデータに含まれる全てのＦＡＸ送信データの送信が終了すると（ステップＳ７０８  Ｙｅｓ）、ジョブ管理部５０３は、完了したＦＡＸ送信ジョブをジョブキュー５２２から削除し、処理を終了する（ステップＳ７０９）。
【００８８】
以上のように、第２の実施形態によれば、解除操作が別のジョブに影響しないエラーに対しては、別のジョブを実行中でもエラー画面が表示されるので、ユーザが別のジョブに影響しないエラーの発生については、素早く知ることができる。
【００８９】
本実施形態の説明にかかる画像形成装置としては、例えば、プリンタ、複写機、ファクシミリ装置等を例示することができ、入力された印刷ジョブデータ、若しくはＦＡＸ送信ジョブデータをジョブキューで管理する機能を備えた画像形成装置であれば、本発明が適用可能であることは言うまでもない。
【符号の説明】
【００９０】
１００  画像形成装置
１０１  操作部
１０２  表示部
１０３  表示制御部
１０４  印刷部
１０５  給紙部
１０６  接続部
１０７  ジョブ情報解析部
１０８  ジョブ管理部
１０９  画像変換部
１１０  記憶部
１１１  制御部
１２０  メッセージ格納部
１２１  ジョブキュー
１２２  エラー検出部
１２３  待避エリア
２００  ＰＣ
２０１  ＰＣ
２０２  ＰＣ
４０１  給紙トレイ
４０２  給紙トレイ
４０３  給紙ローラ
４２１  溝
４２２  溝
４５１  用紙
４５２  用紙
５００  画像形成装置
５０１  表示制御部
５０２  ジョブ情報解析部
５０３  ジョブ管理部
５０４  ＦＡＸ送信部
６００  ＰＣ
６０１  ＰＣ
６０２  ＰＣ
６５０  電話回線
６５１  電話回線網
【図１】
2010167668.tif 000003
【図２】
2010167668.tif 000004
【図３】
2010167668.tif 000005
【図４】
2010167668.tif 000006
【図５】
2010167668.tif 000007
【図６】
2010167668.tif 000008
【図７】
2010167668.tif 000009
【図８】
2010167668.tif 000010
【図９】
2010167668.tif 000011
【図１０】
2010167668.tif 000012
【図１１】
2010167668.tif 000013
【図１２】
2010167668.tif 000014
【図１３】
2010167668.tif 000015
【図１４】
2010167668.tif 000016
【図１５】
2010167668.tif 000017
【図１６】
2010167668.tif 000018
【図１７】
2010167668.tif 000019
【図１８】
2010167668.tif 000020
【図１９】
2010167668.tif 000021